(57)【特許請求の範囲】
【請求項１】
鋸刃ハウジングに回転自在に備えた駆動ホイールと従動ホイールとに掛回したエンドレス状の帯鋸刃における歯先を切断すべきワーク方向に指向して案内する複数の帯鋸刃案内装置を備えると共に、一方の帯鋸刃案内装置に対して他方の帯鋸刃案内装置を接近離反する方向へ移動可能に備え、前記各帯鋸刃案内装置に、ワークに対する帯鋸刃の切込み方向の振動を付与するための振動付与手段をそれぞれ備えた帯鋸盤であって、前記帯鋸刃案内装置において帯鋸刃の背面を押圧する複数の押圧ローラ又は押圧部材を備えた押圧部材ホルダを備え、前記帯鋸刃案内装置において前記帯鋸刃の背面に対して接近離反する方向へ揺動自在に備えた揺動アームのほぼ中央部に前記押圧部材ホルダを揺動自在に枢支して備えていることを特徴とする帯鋸盤。
【請求項２】
請求項１に記載の帯鋸盤において、前記鋸刃ハウジングは、前記駆動ホイールと従動ホイールとの離間方向に長いビーム部材を備えると共に、当該ビーム部材の一端側及び他端側の後面にそれぞれ備えたホイール支持部材の前面に前記駆動ホイール及び従動ホイールを別々に回転自在に備え、
前記一方の帯鋸刃案内装置は、前記駆動ホイールを回転自在に備えた一方の前記ホイール支持部材の前面に突出して備えたガイドアーム部材の先端側に備えられており、当該一方の帯鋸刃案内装置に、帯鋸刃の切込み方向の振動を付与するための前記振動付与手段における回転アクチュエータは、前記ガイドアーム部材の基端側に備えられており、
前記他方の帯鋸刃案内装置は、前記ビーム部材の後面に備えたガイド部に沿って移動可能な可動ガイドアーム部材の先端部に備えられており、当該他方の帯鋸刃案内装置に、帯鋸刃の切込み方向の振動を付与するための前記振動付与手段における回転アクチュエータは、前記可動ガイドアームの前後方向の屈曲部に備えられていることを特徴とする帯鋸盤。
【請求項３】
請求項２に記載の帯鋸盤において、前記回転アクチュエータの回転軸は、前記帯鋸刃の走行方向にほぼ平行に備えられていることを特徴とする帯鋸盤。
【発明の詳細な説明】
【技術分野】
【０００１】
本発明は駆動ホイールと従動ホイールとにエンドレス状の帯鋸刃を掛回した帯鋸盤であって、前記帯鋸刃における歯先を切断すべきワーク方向に指向して案内する帯鋸刃案内装置に、ワークに対する帯鋸刃の切込み方向の振動を付与するための振動付与手段を備えた帯鋸盤に係り、さらに詳細には、帯鋸刃の背面を押圧する押圧部材の長寿命化を図ると共に安全性の向上を図り、かつ全体的構成のコンパクト化を図った帯鋸盤に関する。
【背景技術】
【０００２】
従来、帯鋸刃に備えた全鋸歯がワークに切込むように、またワークの切断加工時におけるびびり振動による騒音を抑制するために、帯鋸刃を、ワークに対する切込み方向に振動することが行われている（例えば特許文献１，２参照）。
【先行技術文献】
【特許文献】
【０００３】
【特許文献１】特許第３９４９６９３号公報
【特許文献２】特許第３９４９７１０号公報
【発明の概要】
【発明が解決しようとする課題】
【０００４】
前記特許文献１，２に記載の帯鋸盤は横型帯鋸盤であって、全体的構成は、図１に示すごとき構成である。すなわち、帯鋸盤１は、ベースフレーム３を備えており、このベースフレーム３には、切断すべきワークＷを固定自在なバイス装置５が備えられている。さらに、前記ベースフレーム３上には、駆動ホイール７、従動ホイール９を回転自在に備えた鋸刃ハウジング１１が、例えば流体圧シリンダなどのごとき上下作動装置１３の作動によって上下動可能に備えられている。
【０００５】
前記駆動ホイール７及び従動ホイール９にはエンドレス状の帯鋸刃１５が掛回してある。そして、前記鋸刃ハウジング１１に備えたガイドビーム１７には、前記帯鋸刃１５の歯先を、ワークＷに対する切込み方向に指向して案内するための帯鋸刃案内装置１９Ａ，１９Ｂを先端部（下端部）に備えたガイドアーム２１Ａ，２１Ｂが備えられている。上記ガイドアーム２１Ａ，２１Ｂのうち、一方のガイドアーム２１Ａはガイドビーム１７に固定してあり、他方のガイドアーム２１Ｂは、ワークＷの大きさに対応して位置調節可能に備えられている。
【０００６】
そして、前記帯鋸刃１５に切込み方向の振動を付与するための振動付与手段２３は、図２に示すごとき構成である。すなわち、一方のガイドアーム２１Ａの上部に取付けたブラケット２５にはギアボックス２７が備えられており、このギアボックス２７には回転軸２９が備えられている。この回転軸２９は、ギアボックス２７に装着したモータ３１によって回転されるものである。この回転軸２９の一端側には適宜形状のカム３３が備えられており、他端側には、前記ガイドビーム１７と平行なスプラインシャフト３５が備えられている。そして、上記スプラインシャフト３５は、他方のガイドアーム２１Ｂの上部に回転自在に備えたスプラインスリーブ３７にスプライン嵌合してある。このスプラインスリーブ３７には、前記カム３３と同様のカム３３Ａが備えられている。
【０００７】
そして、前記ガイドアーム２１Ａ，２１Ｂの上部には、前記カム３１，３１Ａに対応してブラケット３９（図２（Ｂ）参照）が設けてあり、このブラケット３９には枢軸４１を介して揺動アーム４３がそれぞれ上下に揺動自在に備えられている。この揺動アーム４３には、前記カム３３，３３Ａと常に転動接触するカムフォロワ４５が回転自在に備えられている。そして、前記揺動アーム４３の先端側下面には、前記ガイドアーム２１Ａ，２１Ｂに上下動可能に備えられた押圧ロッド４７の上端部が当接してある。この押圧ロッド４７の下端部は、前記帯鋸刃案内装置１９Ａ，１９Ｂに備えたバックアップ保持部材４９に当接してある。
【０００８】
前記帯鋸刃案内装置１９Ａ，１９Ｂは、帯鋸刃１５を両側から挟持して案内する挟持ガイド部材５１を備えると共に、帯鋸刃７の背部を押圧可能なバックアップ部材５３を保持した前記バックアップ保持部材４９を備えている。前記バックアップ保持部材４９は、枢軸５５を介して前記ガイドアーム２１Ａ，２１Ｂの下端部に上下に揺動可能に備えられている。そして、当該バックアップ保持部材４９の先端側上面に前記押圧ロッド４７の下端部が当接してある。
【０００９】
したがって、モータ３１を駆動回転することにより、両帯鋸刃案内装置１９Ａ，１９Ｂは、連動してワークＷに対して切込む方向に振動されるものである。
【００１０】
ところで、前述したごとき帯鋸盤１における鋸刃ハウジング１１は、上部側が後側（図１において裏面側）となるように前後に傾斜してあり、前記ガイドビーム１７は、帯鋸刃１５がワークＷの切断を行う領域の上方に位置するように、前記鋸刃ハウジング１１の上部側から前側へ突出して備えられているものである。したがって、前記ガイドビーム１７の上部空間は充分にスペースがあり、図２に示すように、ガイドビーム１７の上側にスプラインシャフト３５等を配置した構成とすることが可能なものである。すなわち、駆動ホイール７、従動ホイール９の回転軸が傾斜してある構成の帯鋸盤１においては、ガイドビーム１７の上方にスプラインシャフト３５等を配置して、両帯鋸刃案内装置１９Ａ，１９Ｂを連動する構成とすることが可能なものである。
【００１１】
ところが、駆動ホイール、従動ホイールの回転軸がほぼ水平な帯鋸盤、すなわち駆動ホイール、従動ホイールの回転平面がほぼ垂直な帯鋸盤１Ａの全体的構成は、図３に概略的に示すごとき構成である。すなわち、この種の帯鋸盤１Ａにおいては、ベースフレーム３Ａ上にバイス装置５Ａを備えている。そして、前記ベースフレーム３Ａに立設したガイドポスト５７に沿って鋸刃ハウジング１１Ａが上下動自在に備えられていると共に、鋸刃ハウジング１１Ａを上下動するための上下作動装置１３Ａが備えられている。
【００１２】
前記鋸刃ハウジング１１Ａは、駆動ホイール７と従動ホイール９との離隔方向（図３においては左右方向）に長いビーム部材５９を備えており、このビーム部材５９の一端側には前記駆動ホイール７を内装した駆動ホイールハウジング６１Ａが備えられており、ビーム部材５９の他端側には従動ホイール９を内装した従動ホイールハウジング６１Ｂが備えられている。なお、駆動、従動ホイールハウジング６１Ａ，６１Ｂには、前カバーが開閉自在に備えられている。そして、駆動ホイールハウジング６１Ａと一体的なガイドアーム２１Ａには一方の帯鋸刃案内装置１９Ａが備えられており、前記ビーム部材５９に位置調節可能に備えられた可動ガイドアーム２１Ｂには他方の帯鋸刃案内装置１９Ｂが備えられている。
【００１３】
上記構成のごとき帯鋸盤１Ａにおいては、ビーム部材５９の下側に駆動、従動ホイールハウジング６１Ａ，６１Ｂがほぼ垂直に備えられており、この駆動、従動ホイール６１Ａ，６１Ｂの間であって前記ビーム部材５９の下側に帯鋸盤案内装置１９Ａ，１９Ｂが備えられている。したがって、図２に示したごとき構成の振動付与手段２３を前記ビーム部材５９の上部に備えて、両帯鋸刃案内装置１９Ａ，１９Ｂを連動する構成とすることは難しいものである。
【００１４】
そこで、前記特許文献１，２の図２に示されているように、各帯鋸刃案内装置１９Ａ，１９Ｂに対応してそれぞれモータを備えた構成とすることになる。この場合、特許文献１，２の図２に示す構成においては、外周面に凹凸部を備えた回転体を帯鋸刃の背面に直接接触した状態において、上記回転体を回転することにより、帯鋸刃に切込み方向の振動を付与する構成である。したがって、回転体の凹凸部が帯鋸刃の背面に当接することを繰り返すこととなり、騒音を発生する問題がある。また、前記構成においては、回転体の凹凸部でもって帯鋸刃の背面を直接押圧する構成であることにより、前記回転体の長寿命化を図ることが難しいという問題がある。
【課題を解決するための手段】
【００１５】
本発明は、前述のごとき問題に鑑みてなされたもので、鋸刃ハウジングに回転自在に備えた駆動ホイールと従動ホイールとに掛回したエンドレス状の帯鋸刃における歯先を切断すべきワーク方向に指向して案内する複数の帯鋸刃案内装置を備えると共に、一方の帯鋸刃案内装置に対して他方の帯鋸刃案内装置を接近離反する方向へ移動可能に備え、前記各帯鋸刃案内装置に、ワークに対する帯鋸刃の切込み方向の振動を付与するための振動付与手段をそれぞれ備えた帯鋸盤であって、前記帯鋸刃案内装置において帯鋸刃の背面を押圧する複数の押圧ローラ又は押圧部材を備えた押圧部材ホルダを備え、前記帯鋸刃案内装置において前記帯鋸刃の背面に対して接近離反する方向へ揺動自在に備えた揺動アームのほぼ中央部に前記押圧部材ホルダを揺動自在に枢支して備えていることを特徴とするものである。
【００１６】
また、前記帯鋸盤において、前記鋸刃ハウジングは、前記駆動ホイールと従動ホイールとの離間方向に長いビーム部材を備えると共に、当該ビーム部材の一端側及び他端側の後面にそれぞれ備えたホイール支持部材の前面に前記駆動ホイール及び従動ホイールを別々に回転自在に備え、前記一方の帯鋸刃案内装置は、前記駆動ホイールを回転自在に備えた一方の前記ホイール支持部材の前面に突出して備えたガイドアーム部材の先端側に備えられており、当該一方の帯鋸刃案内装置に、帯鋸刃の切込み方向の振動を付与するための前記振動付与手段における回転アクチュエータは、前記ガイドアーム部材の基端側に備えられており、前記他方の帯鋸刃案内装置は、前記ビーム部材の後面に備えたガイド部に沿って移動可能な可動ガイドアーム部材の先端部に備えられており、当該他方の帯鋸刃案内装置に、帯鋸刃の切込み方向の振動を付与するための前記振動付与手段における回転アクチュエータは、前記可動ガイドアームの前後方向の屈曲部に備えられていることを特徴とするものである。
【００１７】
また、前記帯鋸盤において、前記回転アクチュエータの回転軸は、前記帯鋸刃の走行方向にほぼ平行に備えられていることを特徴とするものである。
【発明の効果】
【００１８】
本発明によれば、帯鋸刃の背面に対して接近離反する方向へ揺動自在な揺動アームのほぼ中央部に揺動自在に枢支した押圧部材ホルダに備えた複数の押圧ローラ又は押圧部材によって帯鋸刃の背面を押圧する構成であるから、複数の押圧ローラでもって帯鋸刃の背面を押圧する構成においては、複数のローラは常に帯鋸刃の背面に接触した状態にあり、ワークに対する切込み方向の負荷は各押圧ローラにそれぞれ分散されることとなり、押圧ローラの長寿命化を図ることができるものである。
【００１９】
また、押圧部材によって帯鋸刃の背面を押圧する構成においては、帯鋸刃の背面に対して押圧部材を常に面接触状態に保持することができ、帯鋸刃を押圧する方向の負荷を接触面全体に分散することができ、押圧部材の長寿命化を図ることができるものである。
【図面の簡単な説明】
【００２０】
【図１】一般的な横型帯鋸盤の正面説明図である。
【図２】従来の振動付与手段の構成を示す説明図である。
【図３】従来の別形態の横型帯鋸盤の正面説明図である。
【図４】本発明の実施形態に係る横型帯鋸盤における鋸刃ハウジングの斜視説明図である。
【図５】帯鋸刃に切込み方向の振動を付与する構成を示す断面説明図である。
【図６】帯鋸刃に切込み方向の振動を付与する構成を示す断面説明図である。
【発明を実施するための形態】
【００２１】
以下、図４以下の図面を用いて本発明の実施形態について説明するに、実施形態は横型帯鋸盤の場合について例示するが、竪型帯鋸盤においても実施可能なものである。ところで、前述した帯鋸盤における構成要素と同一機能を奏する構成要素には同一符号を付することとして重複した説明は省略する。
【００２２】
図４を参照するに、本発明の実施形態に係る横型帯鋸盤の全体的構成は、図３に示した横型帯鋸盤１Ａの構成と類似の構成である。したがって、特徴的構成を示す鋸刃ハウジングの構成についてのみ説明することとする。
【００２３】
本発明の実施形態に係る横型帯鋸盤における鋸刃ハウジング６３は、前述した鋸刃ハウジング１１Ａと同様に、駆動ホイール７と従動ホイール９との離隔方向（横型帯鋸盤においては左右方向、竪型帯鋸盤においては上下方向）に長いビーム部材５９を備えており、このビーム部材５９における一端側の後面には、一方のホイール支持部材６５Ａが一体的に固定してある。そして、前記ビーム部材５９における他端側の後面には他方のホイール支持部材６５Ｂが一体的に固定してある。そして、前記ホイール支持部材６５Ａ，６５Ｂには前記駆動ホイール７、従動ホイール９が回転自在に支持されている。
【００２４】
駆動ホイール７を回転自在に支持した前記ホイール支持部材６５Ａはほぼ垂直に備えられており、このホイール支持部材６５Ａには、帯鋸刃１５における歯先を切断すべきワークＷの方向を指向して案内する一方の帯鋸刃案内装置１９Ａが備えられている。そして、当該帯鋸刃案内装置１９Ａと対をなす他方の帯鋸刃案内装置１９Ｂが一方の帯鋸刃案内装置１９Ａに対して接近離反する方向へ移動可能に備えられている。
【００２５】
より詳細には、前記ビーム部材５９の後面中央部には左右方向のガイド部としてのガイドレール６７（図５参照）が備えられており、このガイドレール６７にはガイドアーム部材６９が移動可能に備えられている。そして、このガイドアーム部材６９における先端部（下端部）に前記帯鋸刃案内装置１９Ｂが備えられている。すなわち、前記ガイドアーム部材６９は、前記ガイドレール６７によって案内される切込み方向後部側部（上部側部）６９Ａと切込み方向前部側部（下部側部）６９Ｂを備えている。そして、前記上部側部６９Ａと下部側部６９Ｂとを連結した屈曲部６９Ｃに、前記帯鋸刃案内装置１９Ｂに、帯鋸刃１５の切込み方向の振動を付与するための振動付与手段７１が備えられている。
【００２６】
より詳細には、前記屈曲部６９Ｃには、ヒンジピン７３を介してガイドアーム６９に基端部側を揺動自在に枢支された揺動レバー７５が備えられており、この揺動レバー７５の先端部側にはカムフォロワ７７が回転自在に備えられている。そして、前記屈曲部６９Ｃにはモータなどのごとき回転用アクチュエータ７９が装着してある。この回転用アクチュエータ７９の回転軸８０は、前記帯鋸刃１５の走行方向とほぼ平行に備えられており、この回転軸８０には、前記カムフォロワ７７を介して前記揺動レバー７５を、帯鋸刃１５の切込み方向へ揺動するための偏心カムなどのごときカム部材８１が一体的に備えられている。
【００２７】
そして、前記ガイドアーム部材６９の下部側部６９Ｂに往復動自在に備えられた押圧ロッド８３の一端部（上端部）が前記揺動レバー７５に備えた押圧部７５Ａに当接してある。この押圧ロッド８３は、前記下部側部６９Ｂに備えたコイルスプリングなどのごとき付勢手段（弾性部材）８４によって前記押圧部７５Ａに当接する方向へ常に付勢されている。前記押圧ロッド８３の他端部（下端部）は、前記帯鋸刃案内装置１９Ｂに揺動自在に備えた揺動アーム８５（図６参照）の先端部に当接してある。
【００２８】
より詳細には、前記帯鋸刃案内装置１９Ｂは、従来の帯鋸刃案内装置と同様に、帯鋸刃１５を両側から挟持する一対の挟持ガイド部材８７を備えている。また、前記帯鋸刃案内装置１９Ｂは、前記帯鋸刃１５の背面１５Ａを押圧する複数の円形状の押圧ローラ８９又は帯鋸刃５の背面１５Ａに面接触する押圧部材（図示省略）を備えた押圧部材ホルダ９１が備えられている。そして、前記帯鋸刃案内装置１９Ｂには、当該帯鋸刃案内装置１９Ｂの固定部に枢軸９３を介して、前記揺動アーム８５の基端部側が、帯鋸刃１５の背面１５Ａに対して接近離反する方向へ揺動自在に備えられており、この揺動アーム８５のほぼ中央部に前記押圧部材ホルダ９１がヒンジピン９５を介して揺動自在に枢支されている。
【００２９】
前記一方の帯鋸刃案内装置１９Ａは、前記ホイール支持部材６５Ａの前面に突出して一体的に備えたガイドアーム部材ユニット９７（図４参照）の先端側に備えられている。なお、当該帯鋸刃案内装置１９Ａの構成は、前記帯鋸刃案内装置１９Ｂの構成と同様の構成であるから同一機能を奏する構成要素には同一符号を付することとして重複した説明は省略する。
【００３０】
既に理解されるように、各振動付与手段７１における回転用アクチュエータ７９を回転してカム部材８１を回転すると、カムフォロワ７７、揺動レバー７５を介して押圧ロッド８３が往復作動されることになる。そして、揺動アーム８５の先端部側が前記押圧ロッド８３によって帯鋸刃１５に近接する方向へ押圧されると、押圧部材ホルダ９１はヒンジピン９５を介して同方向へ移動されることとなり、当該押圧部材ホルダ９１に備えた複数の押圧ローラ８９又は押圧部材によって帯鋸刃１５の背面１５Ａを押圧することになる。
【００３１】
この際、ワークＷに対する帯鋸刃１５の切込み方向の切削抵抗によって帯鋸刃１５が湾曲した状態にあっても、前記押圧部材ホルダ９１は上記湾曲状態に対応して揺動自在であり、複数の押圧ローラ（押圧部材）８９は帯鋸刃１５の背面１５を均等に押圧することになる。換言すれば、ワークに対する帯鋸刃１５の切込み方向の負荷は、各押圧ローラ（押圧部材）８９に均等に分散されることとなり、負荷の軽減を図ることができ、各押圧ローラ（押圧部材）８９の長寿命化を図ることができるものである。
【００３２】
また、前記構成から理解されるように、前記各振動付与手段７１は、前記ビーム部材５９の下方領域内であって、ホイール支持部材６５Ａ，６５Ｂの前側領域内に備えられているので、鋸刃ハウジング６３のコンパクト化を図ることができると共に、駆動ホイール７、従動ホイール９に対して帯鋸刃１５の着脱交換を行うとき、帯鋸刃１５と干渉することがなく、帯鋸刃１５の交換を容易に行い得るものである。
【００３３】
また、前記振動付与手段７１における回転用アクチュエータ７９は前後方向の屈曲部６９Ｃに備えられており、かつ前記回転用アクチュエータ７９の回転軸８０が帯鋸刃１５の走行方向とほぼ平行に備えられているので、前記回転用アクチュエータ７９が前方向へ大きく突出するようなことがなく、全体的構成のコンパクト化及び安全性の向上を図ることができるものである。
【符号の説明】
【００３４】
７  駆動ホイール
９  従動ホイール
１５  帯鋸刃
１５Ａ  背面
１９Ａ，１９Ｂ  帯鋸刃案内装置
６３  鋸刃ハウジング
６５Ａ，６５Ｂ  ホイール支持部材
６９  ガイドアーム部材
７１  振動付与手段
７５  揺動レバー
７７  カムフォロワ
７９  回転用アクチュエータ
８１  カム部材
８３  押圧ロッド
８５  揺動アーム
８９  押圧ローラ
９１  押圧部材ホルダ
９３  枢軸
９５  ヒンジピン
【図１】
0005879192.tif 000002
【図２】
0005879192.tif 000003
【図３】
0005879192.tif 000004
【図４】
0005879192.tif 000005
【図５】
0005879192.tif 000006
【図６】
0005879192.tif 000007